(57)【要約】【課題】簡易な構成であるにも拘らず、霧化粒子を室内等全体に効率良く拡散可能な装置を提供することにある。【解決手段】本体１に、霧化する液体４を収容する容器部と、この容器部２内の液体４を霧化するための超音波振動部５と、霧化粒子４ｂを上方へ噴霧するための粒子噴霧パイプ８と、霧化粒子４ｂをこの粒子噴霧パイプ８へ送るための送風ファン７とを備えた超音波霧化装置において、粒子噴霧パイプ８の噴霧口８ａの外周に沿って上方エアーを噴射する手段１０を備え、噴射手段１０のエアー噴射口１１ａ及び粒子噴霧パイプ８の噴霧口８ａを上方に向けると共に、噴射手段１０のエアー噴射口１１ａを粒子噴霧パイプ８の噴霧口８ａより下方に配置して、噴射手段１０からのエアー噴射によって、粒子噴霧パイプ８から噴霧される霧化粒子４ｂを上方へ噴出させるよう構成した。【選択図】図２
2007283281.tif 000002
【特許請求の範囲】
【請求項１】
本体に、霧化する液体を収容する容器部と、この容器部内の液体を霧化するための超音波振動部と、霧化粒子を上方へ噴霧するための粒子噴霧パイプと、霧化粒子をこの粒子噴霧パイプへ送るための送風ファンとを備えた超音波霧化装置において、前記粒子噴霧パイプの噴霧口の外周に沿って上方エアーを噴射する手段を備え、前記噴射手段のエアー噴射口及び前記粒子噴霧パイプの噴霧口を上方に向けると共に、前記噴射手段のエアー噴射口を前記粒子噴霧パイプの噴霧口より下方に配置して、前記噴射手段からのエアー噴射によって、前記粒子噴霧パイプから噴霧される霧化粒子を上方へ噴出させるよう構成したことを特徴とする超音波霧化装置。
【請求項２】
前記噴射手段が、前記粒子噴霧パイプの外周に沿って間隙部を形成する略同心円のエアー噴射パイプを備えており、この間隙部が前記上方エアーの噴射口を形成することを特徴とする、請求項１に記載の超音波霧化装置。
【請求項３】
前記噴射口からの上方エアーの風速が、前記噴霧口からの霧化粒子の風速より大きくなるよう構成されていることを特徴とする、請求項１〜２のいずれか１項に記載の超音波霧化装置。
【請求項４】
前記粒子噴霧パイプの少なくとも一部に、パイプ径よりも大きな大径部を設けたことを特徴とする、請求項１〜３のいずれか１項に記載の超音波霧化装置。
【請求項５】
前記大径部を、前記粒子噴霧パイプの噴霧口に設けたことを特徴とする、請求項４に記載の超音波霧化装置。
【請求項６】
前記大径部の下端から前記エアー噴射パイプの上端までの垂直方向距離が、前記間隙部の半径方向距離の１．５倍以上であることを特徴とする、請求項５に記載の超音波霧化装置。
【請求項７】
前記本体部が、機器収納部と開閉部とに分割して構成され、前記開閉部が、前記機器収納部に対して開閉可能であって、前記開閉部に、前記容器部が着脱自在に設けられていることを特徴とする、請求項１〜６のいずれか１項に記載の超音波霧化装置。
【請求項８】
前記噴射ファンが前記機器収容部に設けられ、前記エアー噴射パイプが前記開閉部に設けられており、前記噴射ファンから前記エアー噴射パイプへ通じるエアー流路が、前記機器収容部側及び前記開閉部側に分割して設けられていることを特徴とする、請求項７に記載の超音波霧化装置。
【請求項９】
前記粒子噴霧パイプ内の噴霧口付近に、多数の小孔を有する多孔体を設け、前記多孔体が、下方に膨らんだ膨出部を有することを特徴とする、請求項１〜８のいずれか１項に記載の超音波霧化装置。
【請求項１０】
前記粒子噴霧パイプ内の噴霧口付近に、前記粒子噴霧パイプから噴霧される霧化粒子をトルネード状に上方噴出するためのトルネード形成体を設け、前記トルネード形成体が、略中央に上方に突出し多数の小孔を有する突出部を備えていることを特徴とする、請求項１〜９のいずれか１項に記載の超音波霧化装置。
【請求項１１】
前記噴射手段が、イオン発生装置を備えていることを特徴とする、請求項１〜１０のいずれか１項に記載の超音波霧化装置。
【請求項１２】
前記霧化粒子を誘引して遠方へ導き出すための遠方導出パイプを備え、この遠方導出パイプの導入口が、前記噴霧口の上方に所定距離を置いて対向するように配置されていることを特徴とする請求項１〜１１のいずれか１項に記載の超音波霧化装置。
【請求項１３】
前記導入口に、外気をスムーズに誘引するための湾状プレートが設けられ、この椀状プレートは前記導入口に向かって窄まるように設けられていることを特徴とする請求項１２に記載の超音波霧化装置。
【請求項１４】
外気を前記遠方導出パイプの導入口に効率よく誘引するための誘引カバーが設けられており、前記誘引カバーが、前記噴霧口と前記遠方導出パイプ導入口との間に設けられた前記所定距離の外周を覆う筒状であって、上方が開口し下方が閉塞していることを特徴とする、請求項１２又は１３に記載の超音波霧化装置。
【請求項１５】
前記遠方導出パイプが上下方向に延設されており、この遠方導出パイプの導出口に、前記霧化粒子を斜め上方に送り出すための手段が備えられていることを特徴とする請求項１２〜１４のいずれか１項に記載の超音波霧化装置。
【請求項１６】
前記遠方導出パイプが、水平方向に延びる水平パイプ部を備えており、この水平パイプ部は、所定間隔を置いて複数の放出部が接続され、前記遠方導出パイプ内の前記霧化粒子が、前記水平パイプ部を通じて前記各放出部から下方へ放出されることを特徴とする、請求項１２〜１４のいずれか１項に記載の超音波霧化装置。
【請求項１７】
前記各放出部は、前記霧化粒子が通過する複数の孔部を有する風速調整プレートを備えており、この風速調整プレートによって前記各放出部から放出される前記霧化粒子の風速を調整することを特徴とする、請求項１６に記載の超音波霧化装置。
【発明の詳細な説明】
【技術分野】
【０００１】
本発明は、超音波振動によって薬液等の液体を霧化するための超音波霧化装置に関するものである。
【背景技術】
【０００２】
従来より、超音波霧化装置は、例えば圧電セラミック等を超音波振動させ、この振動で水や芳香剤等の薬液を霧化して、霧化粒子を室内や車内等に噴霧するものである（例えば特許文献１参照）。そして、この噴霧した粒子によって、室内や車内等を加湿したり、除埃・除臭する。そのため、この霧化粒子を室内等全体に行き渡らせるために、超音波霧化装置に種々の工夫が提供されている（例えば特許文献２参照）。
しかし、前記の超音波霧化装置では、室内等の全体に霧化粒子を拡散することができない問題がある。
【特許文献１】特開２００３−２４５５８０号公報
【特許文献２】特開平９−１０６４３号公報
【発明の開示】
【発明が解決しようとする課題】
【０００３】
そこで、本発明が解決しようとする課題は、前記した問題に鑑みて、簡易な構成であるにも拘らず、霧化粒子を室内等全体に効率良く拡散することが可能な超音波霧化装置を提供することにある。
【課題を解決するための手段】
【０００４】
請求項１に係る超音波霧化装置は、本体に、霧化する液体を収容する容器部と、この容器部内の液体を霧化するための超音波振動部と、霧化粒子を上方へ噴霧するための粒子噴霧パイプと、霧化粒子をこの粒子噴霧パイプへ送るための送風ファンとを備えた超音波霧化装置において、前記粒子噴霧パイプの噴霧口の外周に沿って上方エアーを噴射する手段を備え、噴射手段のエアー噴射口及び粒子噴霧パイプの噴霧口を上方に向けると共に、噴射手段のエアー噴射口を粒子噴霧パイプの噴霧口より下方に配置して、噴射手段からのエアー噴射によって、粒子噴霧パイプから噴霧される霧化粒子を上方へ噴出させるよう構成した。
【０００５】
請求項２に記載の超音波霧化装置は、噴射手段が、粒子噴霧パイプの外周に沿って間隙部を形成する略同心円のエアー噴射パイプを備えており、この間隙部が上方エアーの噴射口を形成する。
【０００６】
請求項３に記載の超音波霧化装置は、噴射口からの上方エアーの風速が、前記噴霧口からの霧化粒子の風速より大きくなるよう構成されている。
【０００７】
請求項４に記載の超音波霧化装置は、粒子噴霧パイプの少なくとも一部に、パイプ径よりも大きな大径部を設けた。
【０００８】
請求項５に記載の超音波霧化装置は、大径部を粒子噴霧パイプの噴霧口に設けた。
【０００９】
請求項６に記載の超音波霧化装置は、大径部の下端からエアー噴射パイプの上端までの垂直方向距離が、間隙部の半径方向距離の１．５倍以上である。
【００１０】
請求項７に記載の超音波霧化装置は、本体部が、機器収納部と開閉部とに分割して構成され、開閉部が、機器収納部に対して開閉可能であって、開閉部に、容器部が設けられている。
【００１１】
請求項８に記載の超音波霧化装置は、噴射ファンが機器収容部に設けられ、エアー噴射パイプが開閉部に設けられており、噴射ファンからエアー噴射パイプへ通じるエアー流路が、機器収容部側及び開閉部側に分割して設けられている。
【００１２】
請求項９に記載の超音波霧化装置は、粒子噴霧パイプ内の噴霧口付近に、多数の小孔を有する多孔体を設け、この多孔体が下方に膨らんだ膨出部を有する。
【００１３】
請求項１０に記載の超音波霧化装置は、粒子噴霧パイプ内の噴霧口付近に、粒子噴霧パイプから噴霧される霧化粒子をトルネード状に上方噴出するためのトルネード形成体を設け、トルネード形成体が略中央に上方に突出し多数の小孔を有する突出部を備えている。
【００１４】
請求項１１に記載の超音波霧化装置は、噴射手段がイオン発生装置を備えている。
【００１５】
請求項１２に記載の超音波霧化装置は、霧化粒子を誘引して遠方へ導き出すための遠方導出パイプを備え、この遠方導出パイプの導入口が、噴霧口の上方に所定距離を置いて対向するように配されている。
【００１６】
請求項１３に記載の超音波霧化装置は、導入口に、外気をスムーズに誘引するための湾状プレートが設けられ、この椀状プレートは導入口に向かって窄まるように設けられている。
【００１７】
請求項１４に記載の超音波霧化装置は、外気を遠方導出パイプの導入口に効率よく誘引するための誘引カバーが設けられており、誘引カバーが、噴霧口と遠方導出パイプ導入口との間に設けられた所定距離の外周を覆う筒状であって、上方が開口し下方が閉塞している。
【００１８】
請求項１５に記載の超音波霧化装置は、遠方導出パイプが上下方向に延設されており、この遠方導出パイプの導出口に、霧化粒子を斜め上方に送り出すための手段が備えられている。
【００１９】
請求項１６に記載の超音波霧化装置は、遠方導出パイプが、水平方向に延びる水平パイプ部を備えており、この水平パイプ部は、所定間隔を置いて複数の放出部が接続され、遠方導出パイプ内の霧化粒子が、水平パイプ部を通じて各放出部から下方へ放出される。
【００２０】
請求項１７に記載の超音波霧化装置は、各放出部は、霧化粒子が通過する複数の孔部を有する風速調整プレートを備えており、この風速調整プレートによって各放出部から放出される霧化粒子の風速を調整する。
【発明の効果】
【００２１】
本発明に係る超音波霧化装置は、エアー噴射口及び噴霧口を上方に向けると共に、エアー噴射口を噴霧口より下方に配置されているので、噴射手段により噴射される上方エアーのリフトアップ作用が増大し、粒子噴霧パイプから噴霧された霧化粒子の、上方への風速・風量が非常に大きくなり、霧化粒子を室内や車内等の全体に拡散することができる。これにより、室内等における霧化粒子を均一の濃度にする時間が著しく短縮化し、更に室内等における循環効率を向上させる効果がある。
【発明を実施するための最良の形態】
【００２２】
以下、添付図面に基づいて、本発明に係る超音波霧化装置の実施例について詳細に説明する。
【第一実施例】
【００２３】
先ず、超音波霧化装置の第一実施例について説明する。図１は、第一実施例の超音波霧化装置を示す外観斜視図である。図２は、超音波霧化装置を説明するための装置内部を示すブロック図である。
【００２４】
図１及び図２において、符号１は本体であり、この本体１の内部に、容器部２及びタンク部３が設けられている。この容器部２及びタンク部３内には、霧化する液体４が収容されている。この液体４は、例えば室内等を加湿するための水、或いは消臭剤や芳香剤等の薬液などで構成されている。容器部２の下方には超音波振動部５が設けられており、この振動部５は、圧電素子等の超音波振動子５０と、この超音波振動子５０を振動させるための発振器５１とを備えている。
【００２５】
本体１の内壁面には、送風ファン７が設けられている。霧化動作において、超音波振動子５０を超音波振動させることにより、容器部２内の液体４を振動させ、これにより、液体４の上部に液柱４ａを発生させる。更に、送風ファン７をモータ等（図示略）で駆動して、液柱４ａに風力を与えることにより、液柱４ａから霧化粒子４ｂを分離させる。この送風ファン７は、本体１内部の下面に設け、下方から液柱４ａへ送風しても良い。
【００２６】
本体１の上部に、霧化粒子４ｂを上方へ噴霧するための粒子噴霧パイプ８が設けられている。この粒子噴霧パイプ８は、上部及び下部が開口しており、下部開口が本体１上面に接続されている。これにより、霧化粒子４ｂが、送風ファン７の送風によって、粒子噴霧パイプ８内を通じて上部開口の噴霧口８ａから噴霧される。
【００２７】
そして、容器部２内の液体４が、霧化されて減少するに従って、タンク部３内の液体４が容器部２へ供給され、容器部２内の液体４が一定量になるよう構成されている。更に、タンク部３は、タンク部３内に液体４を補充するために、本体１に対して着脱自在となっている。
【００２８】
本体１の上部には、噴射手段１０が設けられている。この噴射手段１０は、粒子噴霧パイプ８の噴霧口８ａの外周に沿って上方エアー１２ａを噴射し、このエアー噴射によって、噴霧口８ａから噴霧される霧化粒子４ｂを上方へ噴出させるものである。本実施例において、この噴射手段１０は、エアー噴射パイプ１１と噴射ファン１２とを備えている。
【００２９】
エアー噴射パイプ１１は、粒子噴霧パイプ８の外側に略同心円に設けられている。そして、粒子噴霧パイプ８とエアー噴射パイプ１１との間に、間隙部１３が形成されている。従って、間隙部１３は、粒子噴霧パイプ８の噴霧口８ａの外周に沿って設けられ、この間隙部１３に通じて上方エアー１２ａを送る噴射ファン１２が設けられている。
【００３０】
この噴射ファン１２を駆動することにより、間隙部１３に上方エアー１２ａが送風され、噴霧口８ａの外周に沿って上方エアー１２ａが噴射される。この上方エアー１２ａによって、噴霧口８ａから噴霧される霧化粒子４ｂがリフトアップ作用により上方へ噴出される。これによって、霧化粒子４ｂの風速・風量が増大されるため、粒子４ｂを室内等の全体に短時間で行き渡せることができる。
【００３１】
そして本実施例では、エアー噴射パイプ１１の噴射口１１ａを、粒子噴霧パイプ８の噴霧口８ａより低くしている。これにより、噴射口１１ａの上方エアー１２ａ部分への、噴霧口８ａからの粒子４ｂの引き込み効果を促進させ、霧化粒子４ｂをリフトアップして風速・風量をより増大させることができる。
【００３２】
そして、本実施例では、噴射口１１ａからの上方エアー１２ａの風速Ｖ２が、噴霧口８ａからの粒子４ｂの風速Ｖ１より大きく（Ｖ１＜Ｖ２）なるように、送風ファン７及び噴射ファン１２の風力を調整している。これにより、噴射口１１ａから噴射される上方エアー１２ａの誘引作用によって、粒子４ｂの風速及び風量を増大させた状態で上方へ噴出することができる。
【００３３】
発明者の実験によれば、従来の超音波霧化装置では、粒子噴霧パイプ８の噴霧口８ａから噴霧される霧化粒子４ｂの高さが３０ｃｍ程度であって、粒子４ｂは装置の周囲で落下してしまい、室内等の全体に粒子４ｂを拡散することができなかった。しかし、本発明に係る噴射手段１０を備えることにより、霧化粒子４ｂの高さは２ｍ以上にまで上がり、短時間で粒子４ｂを室内等の全体に行き渡らせることができた。
【００３４】
更に、発明者は、本発明の超音波霧化装置によるマイナスイオン効果を測定した。図３は、超音波霧化装置におけるマイナスイオン値の測定結果を説明するための図であり、（ａ）は平面図、（ｂ）は側面図である。噴霧口８ａの中心を基準として、図３（ａ）に示す矢印方向へ距離５０ｃｍ、１００ｃｍ、１５０ｃｍ、２００ｃｍ、及び高さ０ｃｍ、５０ｃｍ、１００ｃｍ、１５０ｃｍを測点として、マイナスイオン値を測定した。その測定結果を下記表１に示す。尚、噴霧口８ａ及びエアー噴射口１１ａは円状で上方を向いているので、噴霧口８ａの全周囲において略同じような測定結果となる。
【００３５】
【表１】
2007283281.tif 000003
【００３６】
上記表１から明らかなように、噴霧口８ａから非常に離れた高さ及び距離であっても、高いマイナスイオン値が測定される。即ち、超音波霧化装置を上記のように構成することにより、非常に広範囲に霧化粒子を拡散して、室内全体に行き渡らせることができる。
【００３７】
次に、粒子噴霧パイプ及びエアー噴射パイプの変形例について説明する。図４は、粒子噴霧パイプ及びエアー噴射パイプの変形例を説明するための概略断面図であって、（ａ）は第一変形例、（ｂ）は第二変形例を示す。
【００３８】
図４（ａ）の如く、第一変形例では、粒子噴霧パイプ８は、噴霧口８ａの径φ２が、パイプ径φ１より大きく形成されている。この径φ２部分の大径部８ｂは、所定の高さを有しており、粒子噴霧パイプ８の形状に沿って隙間部１３が一定距離となるよう、エアー噴射パイプ１１も噴射口１１ａにおいて大径になっている。本例では、径φ１が約４ｃｍ、径φ２が約９ｃｍである。
【００３９】
このように、噴霧口８ａを大径として、粒子４ｂの風速を急激に落とし、液体と気体の分離現象を生じさせることにより、大きな径の粒子４ｂを落下させて、小さな径の粒子４ｂのみを噴霧することができ、粒子４ｂによる室内等のべたつきを少なくすることができる。
【００４０】
更に、図４（ａ）に示すよう、大径部８ｂの下端８ｃからエアー噴射パイプ１１の上端１１ｂまでの垂直方向距離Ｌが、間隙部１３の半径方向距離Ｓの１．５倍以上に構成されている。本例において、距離Ｓが１ｃｍ、長さＬが３ｃｍである。このように構成することで、噴霧口８ａから、粒子４ｂの風速及び風量を増大させた状態で噴出することができる。
【００４１】
図４の（ｂ）に示すように、第二変形例では、粒子噴霧パイプ８の一部分が、パイプ径φ１より大きな径φ２の大径部８ｂになっており、この上部の噴霧口８ａにおいて再び元の径φ１になっている。この例も第一変形例と同様、粒子噴霧パイプ８の形状に伴い、エアー噴射パイプ１１の噴射口１１ａが大径になっている。この大径部８ｂは、２段以上設けることもできる。
【００４２】
そして、上記のように、大径部８ｂにおいて大径の粒子４ｂを落下させることができると共に、噴霧口８ｂを窄ませることにより、粒子４ｂの風速を再び元の速度に上昇させ、室内等全体の拡散能力を向上させ得る。
【００４３】
なお、噴射手段は、粒子噴霧パイプ８の噴霧口８ａの外周に、複数の小径エアー噴射パイプを設け、各噴射パイプから上方エアーを噴射しても良い。又、エアーコンプレッサー等により、圧縮エアーを噴射しても本発明を実施できる。更に、本体１の内部に、ヒータ等を設けることにより、加熱された粒子４ｂを噴霧して室内を暖めることもできる。
【第二実施例】
【００４４】
次に、超音波霧化装置の第二実施例について説明する。尚、前記した第一実施例と同じ構成については詳細な説明を省略する。図５は、第二実施例の超音波霧化装置を示す外観斜視図である。図６は、タンク用蓋部を開いた状態の超音波霧化装置を示す斜視図である。図７は、タンク用蓋部及び開閉部を開いた状態の超音波霧化装置を示す斜視図である。
【００４５】
図５に示すように、本体１は、機器収納部１ａ、開閉部１ｂ及びタンク用蓋部１ｃから構成されており、略正立方体状になっている。本体１の前面には、装置の起動や停止をするための操作ボタンＢが設けられている。本体１の上面には、粒子噴霧パイプ８及びエアー噴射パイプ１１が突出して設けられている。エアー噴射パイプ１１の噴射口１１ａが、粒子噴霧パイプ８の噴霧口８ａより下方に配置されている。使用時では開閉部１ｂ及びタンク用蓋部１ｃが閉じられ、この状態で、粒子噴霧パイプ８から霧化粒子４ｂが噴霧され、エアー噴射パイプ１１から上方エアー１２ａが噴射される。
【００４６】
図６の如く、タンク用蓋部１ｃは本体１に開閉自在に設けられており、タンク用蓋部１ｃを開くことによって、本体１内のタンク部３を取り外しできるよう構成されている。これにより、タンク部３内の液体４がなくなった際、タンク部３内に簡単に液体４を補充することができる。タンク用蓋部１ｃは、機器収納部１ａに回転可能に軸支され、上下方向に開閉するようになっている。
【００４７】
図７の如く、本体１は、開閉部１ｂが機器収納部１ａに対して開閉できるよう構成されている。開閉部１ｂは、機器収納部１ａに対して回転できるように軸支されており、水平方向に開閉する。機器収納部１ａには、この装置を司る制御部（図示略）や、噴射ファン１２等が収納されている。開閉部１ｂには、上部に粒子噴霧パイプ８及びエアー噴射パイプ１１が設けられ、内部に着脱部１００が収納されている。
【００４８】
着脱部１００は、容器部２、タンク部３、超音波振動部５及び送風ファン７が一体になっており、タンク部３が取り外しできるようになっている。そして、機器収納部１の制御部からのハーネス１０１が、着脱部１００へ接続されており、着脱部１００の超音波振動部５及び送風ファン７へ電力や制御信号等が送られる。ハーネス１０１はコネクタ等で分割可能になっており、ハーネス１０１を分割して、着脱部１００を開閉部１ｂから取り外しできる。そして、容器部２内に液体４の脱臭剤等の粉末が残ると超音波振動部５の振動が遅くなるので、着脱部１００を取り外して、容器部２を簡単に清掃することができるようになっている。
【００４９】
噴射ファン１２からの上方エアー１２ａは、エアー流路を通じてエアー噴射パイプ１１へ送られる。エアー流路は、機器収納部１ａに設けられた第一エアー流路１２０と、開閉部１ｂに設けられた第二エアー流路１２１とからなる。第一及び第二エアー流路１２０，１２１は、開閉部１ｂを閉じることにより接続されエアー流路を形成するよう構成されている。第一エアー流路１２０は噴射ファン１２に、第二エアー流路１２１はエアー噴射パイプ１１に、それぞれ接続されている。第一エアー流路１２０と第二エアー流路１２１との接続部には、上方エアー１２ａの漏れを防ぐため、軟質ゴム等の漏洩防止部１２０ｃ（図１２参照）が設けられている。粒子噴霧パイプ８は、エアー噴射パイプ１１及び第二エアー流路１２１を通じて、容器部２へ接続される。
【００５０】
図８及び図９は、粒子噴霧パイプ８に取り付けられるアタッチメントを説明するための図である。図８（ａ）は多孔体を示す斜視図、図８（ｂ）は落下防止部を示す斜視図である。図９は、多孔体及び落下防止部を取り付けた粒子噴霧パイプの噴霧口付近を示す断面図である。
【００５１】
図８（ａ）に示すように、多孔体８０は、多数の小さな孔８０ｂを有する円状金属板等で構成されており（図面では孔８０ｂは一部省略されているが多孔体８０の全体に施されている。）、略中央には円弧状に膨らんだ膨出部８０ａを備えている。図８（ｂ）に示すように、落下防止部８１は、円状の樹脂体等で構成されており、中心やその周りに開口部８１ａが設けられている。
【００５２】
そして、図９の如く、粒子噴霧パイプ８内の噴霧口８ａ付近に、多孔体８０及び落下防止部８１が取り付けられている。この実施例では、粒子噴霧パイプ８は、噴霧口８ａを大きくした大径部８ｂが設けられている。大径部８ｂは、下端８ｃに略水平の載置部８ｄが設けられ、窄まってパイプ径に接続されている。この載置部８ｄに、多孔体８０が載せられさらに落下防止部８１が載せられている。多孔体８０は、膨出部８０ａが下向きに膨らむように載置されている。大径部８ｂ内に、突出する複数の掛止部８２が設けられており、この掛止部８２に落下防止部８１を引っ掛けて、移動するとき等に外れないように位置固定している。
【００５３】
これにより、粒子噴霧パイプ８内で、粒子４ｂが多孔体８０に衝突して風速が落ち、更に下向きの膨出部８０ａによって、大きな径の粒子４ｂを落下させて小さな径の粒子４ｂのみを噴霧することができる。
落下防止部８１は、小物類等が粒子噴霧パイプ８に落ちたときに、小物類が粒子噴霧パイプ８内を通じて容器部２へ落下しないよう防ぐためのものである。また、この落下防止部８１は、多孔体８０を補完して、大きな径の粒子４ｂを落下させる機能もある。
【００５４】
図１０及び図１１は、粒子噴霧パイプ８に取り付けられる上記とは別のアタッチメントを説明するための図である。図１０は、トルネード形成体を示す斜視図である。図１１は、トルネード形成体を取り付けた粒子噴霧パイプの噴霧口付近を示す断面図である。
【００５５】
図１０に示すように、トルネード形成体８３は、略中央に突出した突出部８３ａを備えている。突出部８３ａは、上壁のある台形円筒状からなっており、多数の小孔８３ｂが形成されている。トルネード形成体８３は、例えば樹脂製である。そして、図１１に示すように、粒子噴霧パイプ８内の噴霧口８ａ付近に、トルネード形成体８３が取り付けられている。トルネード形成体８３は、突出部８３ａを上方に向けて、載置部８ｄに載置されている。上記と同様、トルネード形成体８３は、掛止部８２に引っ掛けられている。
【００５６】
図１１の如く、粒子噴霧パイプ８内で、粒子４ｂがトルネード形成体８３に衝突して、大きな径の粒子４ｂを落下させて小さな径の粒子４ｂのみを噴霧する。更に、トルネード形成体８３の突出部８３ａと上方エアー１２ａのリフトアップ作用とによって、粒子４ｂがトルネード状に上方噴霧される。これにより、粒子４ｂを効率よく混合、攪拌しながら上方へ持ち上げることができる。
【００５７】
図１２は、イオン発生装置を示す斜視図である。図１２に示すように、ダクト部１２０ａによって、第一エアー流路１２０が形成されている。このダクト部１２０ａには、一対の噴射ファン１２，１２’が接続されている。噴射ファン１２，１２’からの上方エアー１２ａは、ダクト部１２０ａに設けられた吹き出し口１２０ｂから吹き出し、ダクト部１２０ａ内の第一エアー流路１２０へ送られる。更に、第一エアー流路１２０に、イオン発生装置９が設けられている。これにより、吹き出し口１２０ｂから吹き出す上方エアー１２ａにイオンを乗せて、イオンを粒子４ｂと共に室内等全体に供給することができる。イオン発生装置９による空気のイオン化現象（レナード効果）によって、血液浄化、自律神経調整、疲労回復、集中力向上などを生ぜしめる。
【００５８】
イオン発生装置９は、イオン発生器９０及びアース電位に保たれたアース体９１から構成されている。イオン発生器９０は、ダクト部１２０ａ内の吹き出し口１２０ｂ付近に取り付けられている。イオン発生器９０には、イオン発生電極やイオン発生素子等がある。アース体９１は、イオン発生器９０に対して上方エアー１２ａの流れ方向下流側に取り付けられている。アース体９１は、銅箔等の金属帯であって、アース線（図示略）に接続されてアース電位に保たれている。アース体９１は、取り付けやすいようにダクト部１２０ａの外周に、一周に渡って巻き付けられている。このアース体９１は、導電性塗料の塗布によって形成された導電性皮膜でもよい。
【００５９】
そして、噴射ファン１２からの上方エアー１２ａは、イオン発生器９０によってマイナスイオン（プラスイオンを含む場合もある。）が付加される。このとき、アース体９１の作用によって帯電せずダクト部１２０ａが除電されるので、上方エアー１２ａに付加されたイオンの通過を妨げる要因を排除できる。これにより、イオン発生器９０で発生したマイナスイオンの大部分を室内等へ放出できる。
尚、このイオン発生器９０及びアース体９１は、上方エアー１２ａが通じる場所に取り付ければよく、第二エアー流路１２１又はエアー噴射パイプ１１等に取り付けてもよい。
【第三実施例】
【００６０】
次に、超音波霧化装置の第三実施例について説明する。前記した第一及び第二実施例と同様部分に関しては詳細な説明を省略する。図１３は、第三実施例の超音波霧化装置を説明するための模式図である。図１４は、送出し手段の変形例を示し、（ａ）は斜視図、（ｂ）は側面断面図である。
【００６１】
図１３の如く、この超音波霧化装置は遠方導出パイプ６を備えている。遠方導出パイプ６は、蛇腹パイプであって上下方向（垂直方向）に延設されている。遠方導出パイプ６は、下端側に導入口６ａが、上端側に導出口６ｂが設けられている。そして、遠方導出パイプ６の導入口６ａが、粒子噴霧パイプ８の噴霧口８ａの上方に所定距離Ｈを置いて向けられている。所定距離Ｈは、上方エアー１２ａの風力や遠方導出パイプ６の径によって決まるが、パイプ６の直径（本例では１５ｃｍ）の約０．５倍が好ましい。
【００６２】
遠方導出パイプ６は、導入口６ａに断面円弧状の椀状プレート６０が設けられている。椀状プレート６０は、導入口６ａ（下方）に向けて窄まっており、上方に向けて広がるように設けられている。この椀状プレート６０によって、矢印方向６ｃに示すように、外気（室内空気）が上方を含む様々な方向からスムーズに導入口６ａへ導かれ、上方エアー１２ａ及び外気６ｃによる誘引作用で、霧化粒子４ａが導入口６ａを通じて遠方導出パイプ６内へ導かれる。その結果、霧化粒子４ａは、遠方導出パイプ６内で混合、攪拌されながら上方へ持ち上げられる。
【００６３】
遠方導出パイプ６は、導出口６ｂが天井附近に上方に向けられている。そして、導出口６ｂには、遠方導出パイプ６を通じて持ち上げられた霧化粒子４ｂを、斜め上方へ送り出すための送出し手段６１が設けられている。送出し手段６１は、上部のルーフプレート６１ａと下部の水平プレート６１ｂとからなる。導出口６ｂは、水平プレート６１ｂに接続されている。ルーフプレート６１ａは、Ｖ字状に形成されており、本例では両側部分が、水平方向に対して約３０度上方へ向くように広がっている。この角度は限定されず、霧化粒子４ｂを斜め上方（水平方向に対して１０度乃至８０度程度）に送り出して拡散できればよい。
【００６４】
そして、矢印方向６ｄに示すように、導出口６ｂから導き出された霧化粒子４ｂは、ルーフプレート６１ａに衝突し、ルーフプレート６１ａと水平プレート６１ｂとの間を通じ、さらにルーフプレート６１ａに沿って斜め上方へ導かれる。これによって、霧化粒子４ｂは、天井附近上方から斜め上方へ押し出されながら降下するので、非常に広域に拡散され、室内環境に対する脱臭、抗菌及び芳香効果を飛躍的に向上することができる。又、マイナスイオンを減少することなく高濃度のまま拡散することができる。尚、この遠方導出パイプ６は、一部が水平方向に延びていてもよい。
【００６５】
送出し手段の変形例６１’について説明する。図１４の如く、この送出し手段６１’は、導出口６ｂに接続され水平方向へ拡開するラッパ状に構成されている。従って、導出口６ｂから導き出された霧化粒子４ｂは、ラッパ状の送出し手段６１’に導かれて水平方向へ飛散するよう構成されている。尚ラッパ状とは円状のみならず角状も含む。そして、二本の遠方導出パイプ６，６のそれぞれに送出し手段６１’，６１’が設けられており、各送出し手段６１’，６１’の拡開部を別方向へ向けることにより、霧化粒子４ｂが室内全体を均等に拡散するようになっている。さらに、各送出し手段６１’は送出ファン６２を備えており、図１４（ｂ）の矢印方向に示すように、霧化粒子４ｂをより遠方、広域に送り出すことができるようになっている。
【第四実施例】
【００６６】
次に、超音波霧化装置の第四実施例について説明する。前記した第一乃至第三実施例と同様の部分に関しては詳細な説明を省略する。図１５は、第四実施例の超音波霧化装置を説明するための図であって、（ａ）は全体斜視図、（ｂ）は（ａ）に示すＩ−Ｉ線断面図である。図１６は、放出部を説明するための図であって、（ａ）は下方から観た斜視図、（ｂ）は縦断面図、（ｃ）は風量調整プレートを示す平面図である。図１７は、誘引カバーを説明するための超音波霧化装置の一部を拡大して示す斜視図である。
【００６７】
図１５（ａ）に示すように、この実施例の超音波霧化装置は、本体１を備えている。本体１の内部には、液体４、超音波振動部５、送風ファン７等が設けられている。本体１は、粒子噴霧パイプ８が接続されている。粒子噴霧パイプ８は、大径部８ｂを備えており、大きな粒子４ｂの噴霧を防止している。超音波霧化装置は、光触媒フィルター１３０を備えている。この光触媒フィルター１３０は、空気中の有害成分を光触媒機能によって分解除去することにより、空気浄化を行う。光触媒フィルター１３０の排出側は、空気供給管１３１を介して、噴射ファン１２に接続されている。従って、浄化された空気が、噴射ファン１２へ送られる。
【００６８】
噴射ファン１２は、上方に延びるエアー噴射パイプ１１が接続されている。エアー噴射パイプ１１は、噴射ファン１２によるエアー騒音を防止するための防音カバー７０が取り付けられている。防音カバー７０は、例えば、金網を覆うウレタン製の吸音材からなっている。粒子噴霧パイプ８が、エアー噴射パイプ１１に接続されてその内部を通じ、上方へ突出している。これにより、粒子噴霧パイプ８の外周にエアー噴射パイプ１１が環設され、上方に向けて霧化粒子４ｂ及び上方エアー１２ａが噴射するようになっている。
【００６９】
粒子噴霧パイプ８及びエアー噴射パイプ１１の上端から所定間隔を置いて、遠方導出パイプ６の導入口が配置されている。後述で詳細に説明するが、この所定間隔に、誘引カバー６５が設けられている。遠方導出パイプ６は、上下方向に延びて途中で屈曲して水平方向に延びている。遠方導出パイプ６における水平方向の水平パイプ部６３は、比較的長く延設されている。水平パイプ部６３は、複数の放出部６４が略等間隔に接続されている。
【００７０】
図１５（ｂ）の如く、放出部６４は、水平パイプ部６３の両側に設けられている。放出部６４は、接続管６４０を介して水平パイプ部６３に接続されている。そして、混合、攪拌された遠方導出パイプ６内の霧化粒子４ａが、水平パイプ部６３内を通じて、各放出部６４から下方へ向けて放出される。例えば、ミュージカルホールやパチンコ等の座席毎に、放出部６４を配置することにより、座席毎に直接、霧化粒子４ａを噴霧することができる。これにより、除臭、芳香効果を大幅に向上することができる。図５（ａ）の如く、水平パイプ部６３は、霧化粒子４ａの流れ方向に向けて徐々に窄まっており、これにより、霧化粒子４ａの風速が均一になるよう調整されている。
【００７１】
図１６（ａ）及び（ｂ）に示すように、放出部６４は、下方に向けて広がっており、下端に円弧状の膨出部６４ａを有している。この膨出部６４ａに、多数の孔６４ｂが設けられている。更に、放出部６４は、上端に風速調整プレート６６が設けられている。従って、霧化粒子４ｂは、接続管６４０から風速調整プレート６６を通じて、放出部６６へ導入される。図１６（ｃ）の如く、風速調整プレート６６は、矩形状の板体であって、複数の孔６６ａが設けられている。この風速調整プレート６６の孔６６ａの面積によって、接続管６４０から放出部６４へ導入される霧化粒子４ａの風速が、各放出部６４毎に均一になるよう調整される。そして、膨出部６４ａの形状によって、霧化粒子４ｂが放射状に広がって下方に噴霧される。
【００７２】
図１７に示すように、誘引カバー６５は、円筒状に構成されており、エアー噴射パイプ１１と遠方導出パイプ６との間の所定距離を覆うように配置されている。誘引カバー６５は、上方が開口し、下方が閉塞しており、下壁６５ａを有している。誘引カバー６５の径は、遠方導出パイプ６の径より大きく構成されており、誘引カバー６５の開口６５ｂから外気６ｃを十分に誘引できるようになっている。エアー噴射パイプ１１は、誘引カバー６５の下壁６５ａを貫通して配置されている。従って、外気６ｃは、誘引カバー６５の開口６５ｂ以外から誘引されず、効果的に外気を誘引することができるようになっている。更に、本実施例では、粒子噴霧パイプ８は、上端に向けて先窄まりのノズル部８ｅを有している。このノズル部８ｅによって、霧化粒子４ｂの流れが速くなり、リフトアップ作用を大きくすることができる。
【図面の簡単な説明】
【００７３】
【図１】第一実施例の超音波霧化装置を示す外観斜視図である。
【図２】超音波霧化装置を説明するための装置内部を示すブロック図である。
【図３】本発明に係る超音波霧化装置におけるマイナスイオン値の測定結果を説明するための図であり、（ａ）は平面図、（ｂ）は側面図である。
【図４】粒子噴霧パイプ及びエアー噴射パイプの変形例を説明するための概略断面図であって、（ａ）は第一変形例、（ｂ）は第二変形例を示す。
【図５】第二実施例の超音波霧化装置を示す外観斜視図である。
【図６】タンク用蓋部を開いた状態の超音波霧化装置を示す斜視図である。
【図７】タンク用蓋部及び開閉部を開いた状態の超音波霧化装置を示す斜視図である。
【図８】（ａ）は多孔体を示す斜視図、（ｂ）は落下防止部を示す斜視図である。
【図９】多孔体及び落下防止部を取り付けた粒子噴霧パイプの噴霧口付近を示す断面図である。
【図１０】トルネード形成体を示す斜視図である。
【図１１】トルネード形成体を取り付けた粒子噴霧パイプの噴霧口付近を示す断面図である。
【図１２】イオン発生装置を示す斜視図である。
【図１３】第三実施例の超音波霧化装置を説明するための模式図である。
【図１４】送出し手段の変形例を示し、（ａ）は斜視図、（ｂ）は側面断面図である。
【図１５】第四実施例の超音波霧化装置を説明するための図であって、（ａ）は全体斜視図、（ｂ）は（ａ）に示すＩ−Ｉ線断面図である。
【図１６】放出部を説明するための図であって、（ａ）は下方から観た斜視図、（ｂ）は縦断面図、（ｃ）は風量調整プレートを示す平面図である。
【図１７】誘引カバーを説明するための超音波霧化装置の一部を拡大して示す斜視図である。
【符号の説明】
【００７４】
１  本体
１ａ  機器収納部
１ｂ  開閉部
１ｃ  タンク用蓋部
２  容器部
３  タンク部
１００  着脱部
４  霧化する液体
４ａ  液柱
４ｂ  霧化粒子
５  超音波振動部
５０  超音波振動子
５１  発振器
６  遠方導出パイプ
６ａ  導入口
６ｂ  導出口
６０  椀状プレート
６ｃ，６ｄ  外気の流れ方向
６１，６１’  送出し手段
６１ａ  ルーフプレート
６１ｂ  水平プレート
６２  送出ファン
６３  水平パイプ部
６４  放出部
６４０  接続管
６４ａ  膨出部
６４ｂ  孔
６５  誘引カバー
６５ａ  下壁
６５ｂ  開口
６６  風速調整プレート
６６ａ  孔
７  送風ファン
７０  防音カバー
８  粒子噴霧パイプ
８ａ  噴霧口
８ｂ  大径部
８ｃ  大径部の下端
８ｄ  載置部
８ｅ  ノズル部
８０  多孔体
８０ａ  膨出部
８０ｂ  孔
８１  落下防止部
８１ａ  開口部
８２，８２’  掛止部
８３  トルネード形成体
８３ａ  突出部
８３ｂ  孔
９  イオン発生装置
９０  イオン発生器
９１  アース体
１０  噴射手段
１１  エアー噴射パイプ
１１ａ  噴射口
１１ｂ  エアー噴射パイプの上端
１２，１２’  噴射ファン
１２ａ  上方エアー
１３  隙間部
１０１  ハーネス
１２０  第一エアー流路
１２１  第二エアー流路
１２０ａ  ダクト部
１２０ｂ  吹き出し口
１２０ｃ  漏洩防止部
１３０  光触媒フィルター
１３１  空気供給管
Ｓ  間隙部の半径方向の距離
Ｌ  大径部の下端からエアー噴射パイプの上端までの垂直方向の距離
Ｈ  噴霧口と導入口との距離
Ｖ１  霧化粒子の風速
Ｖ２  上方エアーの風速
φ１  パイプ径
φ２  噴霧口の径
Ｂ  操作ボタン
【図１】
2007283281.tif 000004
【図２】
2007283281.tif 000005
【図３】
2007283281.tif 000006
【図４】
2007283281.tif 000007
【図５】
2007283281.tif 000008
【図６】
2007283281.tif 000009
【図７】
2007283281.tif 000010
【図８】
2007283281.tif 000011
【図９】
2007283281.tif 000012
【図１０】
2007283281.tif 000013
【図１１】
2007283281.tif 000014
【図１２】
2007283281.tif 000015
【図１３】
2007283281.tif 000016
【図１４】
2007283281.tif 000017
【図１５】
2007283281.tif 000018
【図１６】
2007283281.tif 000019
【図１７】
2007283281.tif 000020